【手続補正書】
【提出日】平成20年11月25日(2008.11.25)
【手続補正１】
【補正対象書類名】明細書
【補正対象項目名】全文
【補正方法】変更
【補正の内容】
【発明の詳細な説明】
【発明の名称】シリンダー錠
【技術分野】
【０００１】
この発明は、外筒内の上ピンと内筒内の下ピンとの間に介在させた補助ピンを適宜に除去することによってキーの変更を変更可能とし、マスターキー機能やコンストラクションキー機能も付加可能なキーチェンジシステム用のシリンダー錠に関するものである。
【背景技術】
【０００２】
一般に、キーチェンジシステムを採用したシリンダー錠では、賃貸マンション、ホテル等の集合住宅等において、建物の施工時に複数の住宅等の内装工事を担当する施工業者が全ての住宅等の戸締りをするシリンダー錠を、施工業者が所有する一種類のキーつまりコンストラクションキー（工事用キー）で共通して施錠、解錠できるようにし、住宅等の居住者が決まって、その居住者が居住者専用のキー（子キー）を一度でも使用して施錠、解錠すると、前記工事用キーが使用できないようにするものや、居住者が子キーを紛失したり、居住者が替わった場合に、次に使用される第二、第三・・・の新たな子キー（通常これをチェンジキーと称する。）で解錠すると、先に使用していた子キーが使用できないようにするものが知られている。
【０００３】
例えば、特許文献１（実開昭６４−３７８６７号公報）のシリンダー錠では、外筒内の上ピンと内筒内の下ピンとの間に補助ピンを介在させるとともに、内筒の外周面には該内筒を回動したときに上ピン孔に対応する位置に凹部を形成してある。そして、キーチェンジする場合には、新たなキーにより内筒を回動して前記内筒の凹部に補助ピンを収納させることにより、前のキーで解錠不能にするとともに、新たなキーのみで施解錠可能にするものである。この特許文献１のシリンダー錠では、内筒の凹部に収納された補助ピンは永久的に収納されたままであり、前の状態に戻そうとしても戻すことができないといった問題があった。
【０００４】
このように前の状態に戻すというリセット状態にすることを目的としたシリンダー錠が特許文献２（実開平４−４１６５号公報）に開示されている。この特許文献２のシリンダー錠１００について、図３４〜図３６に基づいて以下に説明する。この特許文献２のシリンダー錠１００では、外筒１０１内の上ピン１０４と内筒１０６内の下ピン１０９との間に補助ピン１１０を介在させた状態から、前記補助ピン１１０を取り出してキーチェンジ状態にすること、更に、上ピン１０４と下ピン１０９との間に前記補助ピン１１０を戻して前の状態に戻すことを特徴とするものである。前の状態に戻すとは、新たなキーにチェンジして旧のキーで施錠・解錠ができない状態にした後、再度、旧のキーを使用可能にすることである。
【０００５】
図３４は、特許文献２のシリンダー錠１００の縦断面図であり、この外筒１０１の軸心方向に複数の上ピン孔１０２が配設され、各上ピン孔１０２には上ピン１０４がバネ１０５によって内方に付勢された状態で挿入されている。前記外筒１０１には内筒１０６が回動自在に嵌挿されており、この内筒１０６には、鍵穴１０７と、下ピン１０９を収納する下ピン孔１０８が設けられ、前記上ピン１０４と下ピン１０９との間には、キーチェンジを可能とするための補助ピン１１０が挿入されている。前記鍵穴１０７にキーＫ１を挿入すると、上ピン１０４と補助ピン１１０の接触面が、外筒１０１と内筒１０６とのシェアーラインに一致し、キーＫ１の回動操作により内筒１０６が外筒１０１に対して回動可能となり、シリンダー錠が施解錠される。
【０００６】
次に、図３５の如く、シリンダー錠の鍵穴１０７にチェンジキーＫ２を挿入すると、そのチェンジキーＫ２の回動操作によって、チェンジキーＫ２の端面と内筒１０６とで形成される凹部１１３が上ピン孔１０２と重合した時に、補助ピン１１０が凹部１１３に収納され、チェンジキーＫ２を抜き取るときに凹部１１３に収納された補助ピン１１０が取り出されて、キーチェンジが完了する。このキーチェンジが完了した段階では、キーチェンジ前に施錠・解錠可能であった前記キーＫ１を挿入しても、補助ピン１１０が除去された上ピン孔１０２と下ピン孔１０８とで構成されるコラムにおいて、前記補助ピン１１０が除去されたストローク分だけ、上ピン１０４がバネ１０５の弾性によりシェアーラインを超えて下ピン孔１０８側に突出しているため、内筒１０６を回動することができない。かくして、複数の補助ピン１１０，・・・，１１０を一個ずつ取り出す度に、新たなチェンジキーが使用可能となるものである。
【０００７】
また、この特許文献２のシリンダー錠では、外部に取り出した補助ピン１１０，・・・，１１０を上ピン１０４と下ピン１０９との間に戻すための専用に治具として、コード変更装置Ｋを用いることを提案している。
【０００８】
このコード変更装置Ｋは、図３６に示すように、先端部を残してほぼ半分に切欠された切欠部１１４を有するキー本体１１５と、前記キー本体１１５先端部に取付けられ、上ピン孔１０２の対応位置に設けた補助ピン１１０収納用の凹部１２０と、該凹部１２０の底部から貫設された接続孔を有するアッパーリフトプレート１１７と、片面に押動突起を有するミドルリフトプレート１２２と、ミドルリフトプレート１２２とキー本体１１５との間に挿入されミドルリフトプレート１２２をアッパーリフトプレート１１７方向へ押動するロアーリフトプレート１２５とからなっている。そして、コード変更装置Ｋを前記鍵穴１０７に挿入し、外部からキー本体１１５の端面１１５Ａとアッパーリフトプレート１１７との間に、アッパーリフトプレート１２５を挿入して、上ピン１０４をバネ１０５に抗して押し上げ、上ピン孔１０２内に戻し、この状態でキー本体１１５を回動することによって、前記上ピン１０４と下ピン１０９との間に補助ピン１１０，・・・，１１０を一挙に戻し、前のキーＫ１で回動可能な状態にシリンダー錠をリセットするのである。
【０００９】
【特許文献１】実開昭６４−３７８６７号公報
【特許文献２】実開平４−４１６５号公報
【発明の開示】
【発明が解決しようとする課題】
【００１０】
以上のように、特許文献１及び特許文献２のシリンダー錠においては、何れもシリンダー錠からキーチェンジを可能とするための補助ピンを外部に除去するものであったので、特許文献２のように補助ピンを専用の治具を使用して外部から補助ピンを戻すように構成したとしても、補助ピン自体が極小の部品であることなどから素人が行うには面倒で緻密な作業となりすぎるといった問題があった。
【００１１】
特に、特許文献２のシリンダー錠では、補助ピン１１０を一つづつ除去することによって、前記キーＫ１を初めとして他の複数のチェンジキーＫ２，・・・，Ｋ２で解錠可能に設定することが可能であるが、補助ピン１１０，・・・，１１０の全てを一挙に戻す場合を除き、一部の補助ピン１１０をもとに戻す場合、上ピン孔と下ピン孔とで構成される複数のコラムのうちのどのコラム内の補助ピン１１０を戻せば、前に使用可能であった特定のキーが再度使用可能となるのかの調査をした後、当該特定のキーを使用可能とするために必要な補助ピン１１０を、前記コード変更装置Ｋを用いて戻す面倒な作業が必要になる。また、前記コード変更装置Ｋは、前述した如くキー本体１１５とアッパーリフトプレート１１７とミドルリフトプレート１２２及びロアーリフトプレート１２５の多くの部材を必要とし、複雑な構造で操作も面倒であるなどの問題があった。
【００１２】
この発明の第１の目的は、補助ピンを外部に除去することなく、合鍵を異なるキーにキーチェンジ可能とし、その合鍵となるキーの数が装備される補助ピンの数に応じて増加設定することが可能であるとともに、リセット状態とすることによって前のキーを無制限に使用可能にできるシリンダー錠を提供する。
【００１３】
この発明の第２の目的は、前述した第１の目的を達成しつつ、複数のシリンダー錠を解錠可能なマスターキー、所定の操作が行われるまでは前記マスターキーと同様に複数のシリンダー錠を解錠可能なコンストラクションキー（工事用キー）、特定のシリンダー錠のみの解錠が可能なキーの少なくとも３種類のキー機能が設定可能であるシリンダー錠を提供する。
【００１４】
この発明の第３の目的は、前述したキーチェンジ機能を有しつつ、マスターキーのみで解錠可能として他の如何なるキーでの解錠を不能とした状態とする機能、いわゆるシャットアウト機能を備えたシリンダー錠を提供する。
【課題を解決するための手段】
【００１５】
この発明では、シリンダー錠の外筒の長手方向に複数設けられた上ピンと、それぞれの上ピンと対応する内筒の下ピンとの間に補助ピンを介在させて、シリンダー錠の鍵穴に適合した複数種類のキーで施解錠を可能とするリセット状態と、このリセット状態時から外部操作によって、前記上ピン及び下ピン間に介在する複数の補助ピンの何れかを上ピン及び下ピン間から除去させ、この補助ピンを外筒に形成した収納凹部に収納するか、又は、この補助ピンを内筒に形成した収納孔に収納した状態を保持して複数種類のキーのうちの特定のキーで施解錠可能なセット状態とし、さらに、前記収納凹部又は収納孔に収納した補助ピンを外部操作によって、除去された前記上ピンと下ピンとの間に再配置して、複数種類のキーの施解錠可能なリセット状態に戻すことが可能なシリンダー錠を提供する。
【００１６】
上記目的を達成するため、本発明の請求項１に記載のシリンダー錠は、長手方向に複数の上ピン孔を有する外筒と、該外筒に回動自在に嵌挿されるとともに、鍵穴に貫通し前記外筒の複数の上ピン孔と対応する複数の下ピン孔を有する内筒とを少なくとも備え、少なくとも前記外筒の上ピン孔に挿入されてバネにより内筒方向に付勢された上ピンと内筒の下ピン孔に挿入された下ピンとの間には補助ピンを介在させ、該補助ピンを前記上ピンと下ピンとの間から除去することによって、施錠及び解錠用のキーを変更することが可能なシリンダー錠であって、前記内筒の外周面には、内筒の鍵穴に適合したキーを挿入し同内筒を回動した場合に、外筒の上ピンのそれぞれが挿入される各上ピン孔と対峙する位置に、前記上ピンと下ピンとの間から除去された補助ピンを一時的に収納する複数の収納孔を形成する一方、前記外筒の内周面には、内筒の鍵穴にキーを挿入し回動した場合に、前記内筒の収納孔と対峙する位置に当該収納孔に一時的に収納した補助ピンをそれぞれ収納する複数の収納凹部を形成するとともに、複数の上記収納孔を連通した溝が前記内筒の外周面の長手方向に形成され、当該溝にはその端面にテーパ部を介し山部と谷部とが交互に連なって形成されたリセット部材を摺動自在に配置してあり、前記リセット部材の山部は、バネによって、前記内筒を回動し外筒の上ピン孔又は収納凹部が前記内筒の収納孔と対峙しても、前記上ピン孔又は収納凹部の補助ピンが前記収納孔へ移動しないように補助ピンと当接する位置に保持され、前記バネに抗した外部操作によって、補助ピンと当接しているリセット部材の山部の位置から、当該山部に連なるリセット部材の谷部が補助ピンと対峙する位置に変更され、前記山部が前記補助ピンと当接するのを解除可能に構成してなることを特徴とする。
【００１７】
（作用）
以上のように構成したシリンダー錠によれば、常態時において、例えば、合鍵であるキーによる解錠操作によって内筒を回動した場合でも、前記リセット部材の山部が、バネの付勢力によって上ピン孔内の補助ピンと当接する位置に保持されるので、上ピン孔内の補助ピンと内筒の収納孔とが対峙する位置となっても、前記リセット部材の山部が内筒の収納孔への補助ピンの進入を阻止する。
【００１８】
そして、リセット部材をバネの付勢力に抗した外部操作により内筒に形成した溝に沿って摺動させると、リセット部材の谷部が上ピン孔内の補助ピンと対峙されて内筒の収納孔に補助ピンを収納し、この収納孔に補助ピンを収納した状態で内筒を回動し、前記収納孔と前記収納凹部とを対峙させ外部操作を解除すると、リセット部材のバネの付勢力によってリセット部材の山部が収納孔内の補助ピンを収納凹部側に押し動かして、前記収納孔内の補助ピンが収納凹部に移送される（セット状態）。したがって、この状態のシリンダー錠では、前記上ピンと下ピンとの間に介在されていた補助ピンの全て又はいずれかが収納凹部に収納されて、特定のキーでの施錠及び解錠のみを受け付けることになる。例えば、補助ピンの全てが前記収納凹部に収納された場合には、内筒の外周面と外筒の内周面とのシェアーラインが一致して内筒を外筒に対して施錠及び解錠方向に回動可能となるのが、上ピンと下ピンとの境界面がシェアーラインに一致する場合のみとなって、マスターキーなどのキーのみでの施錠及び解錠を受け付けるようになる。
【００１９】
また、内筒の収納孔と補助ピンを収納した収納凹部とを対峙させた状態で、リセット部材をバネの付勢力に抗した外部操作により内筒の溝に沿って摺動させると、前記収納凹部に収納された補助ピンが内筒の収納孔に収納可能となる。そして、外筒の収納凹部に収納されていた補助ピンを前記収納孔に収納された状態を保持しながら、内筒の鍵穴に挿入したキーで内筒を回動させて外筒の上ピン孔と前記収納孔が対峙したときに前記外部操作を解除すると、前記バネの復元力によってリセット部材のテーパ部及び山部が内筒の収納孔の補助ピンが前記コラムに戻されて元の状態（リセット状態）に戻る。
【００２０】
本発明の請求項２のシリンダー錠は、前記内筒の収納孔と外筒の収納凹部とは、前記上ピンと下ピンとの間に介在する補助ピンの全てが収納できる数だけ、前記外筒と内筒との夫々に形成されており、前記収納凹部に全ての補助ピンを収納して、一つのキーのみで施錠及び解錠が可能に構成してなる。
【００２１】
この構成のシリンダー錠によれば、補助ピンの全てが外筒の収納凹部に収納されて、上ピンと下ピンとの間に一切の補助ピンが介在しない状態となるので、内筒の外周面と、内筒と外筒とのシェアーラインと一致して内筒を外筒に対して施錠及び解錠操作可能となるのが、上ピンと下ピンとの境界面が前記シェアーラインに一致する場合のみとなって、マスターキーなどの一つのキーでのみ施錠及び解錠を受け付けるようになる。
【００２２】
本発明の請求項３のシリンダー錠は、長手方向に複数の上ピン孔を有する外筒と、該外筒に回動自在に嵌挿されるとともに、鍵穴に貫通し前記外筒の複数の上ピン孔と対応する複数の下ピン孔を有する内筒とを少なくとも備え、少なくとも前記外筒の上ピン孔に挿入されてバネにより内筒方向に付勢された上ピンと内筒の下ピン孔に挿入された下ピンとの間には補助ピンを介在させ、該補助ピンを前記上ピンと下ピンとの間から除去することによって、施錠及び解錠用のキーを変更することが可能なシリンダー錠であって、前記外筒の上ピン孔には、内筒の鍵穴に適合したキーを挿入し同内筒を回動した場合に、前記内筒の外周面に形成された複数の収納孔に、上ピンのバネの付勢力によって上ピンと下ピンと
との間から除去された補助ピンを押動して収納する一方、前記内筒の外周面の長手方向には内筒の複数の収納孔を連通した溝が形成され、当該溝にはその端面に山部と谷部とが交互に連なって形成するとともに谷部の後方側と山部との間に少なくともテーパ部を有し、その谷部が常態時に前記内筒を回動すると前記上ピン孔と対峙するように配置されたリセット部材を摺動自在に設けてなり、前記内筒を回動し外筒の上ピン孔と前記内筒の収納孔とが対峙しても、前記上ピンのバネの付勢力によって補助ピンが前記上ピン孔へ移動しないように保持され、前記リセット部材を前方に押動する外部操作によって、前記谷部が上ピン孔と対峙する状態から山部が対峙する状態にする過程で収納孔に収納した補助ピンをテーパ部の作用により上ピン孔側に押動し、更に、内筒を回動操作するとともにリセット部材の操作を解除してリセット部材を後方に移動することにより、一旦除去した補助ピンを上ピンと下ピンとの間に戻すことが可能に構成してある。
【００２３】
（作用）
以上のような発明によれば、常態時において、例えば、合鍵であるキーによる解錠操作によって内筒を回動すると、前記リセット部材の谷部が上ピン孔に対峙するようになり、この上ピン孔に収納された補助ピンが上ピン孔に挿入されたバネの付勢力によって内筒の収納孔に補助ピンを押動し、その結果、収納孔に補助ピンが収納される（セット状態）。このセット状態では、上ピンと下ピンとの間に介在されていた補助ピンの全て又はいずれかが収納孔に収納されて、前記合鍵であるキーを含む特定のキーでの解錠及び施錠のみを受け付けることになる。例えば、補助ピンの全てが収納孔に収納された場合には、内筒の外周面と外筒の内周面とのシャーラインに一致して、内筒を外筒に対して施錠及び解錠方向に回動可能となるのが、上ピンと下ピンとの境界面がシェアーラインに一致する場合のみとなって、マスターキーなどのキーのみでの施錠及び解錠を受け付けるようになる。
【００２４】
また、前記合鍵であるキーを含む特定のキーを鍵穴に挿入して回動し、上ピン孔に対して収納孔に収納した状態の補助ピンを対峙させた後、リセット部材を外部操作によって前方に押し動かすと、そのリセット部材のテーパ部が作用して上ピン孔のバネの付勢力に抗して補助ピンを収納孔から上ピン孔に押動する。そして、その状態を保ちながらキーを回動するとともに、リセット部材に対する外部操作を解除することによって、リセット部材を外部操作前の状態の後方に移動することによって、補助ピンを一旦除去した上ピンと下ピンとの間に戻すことができる。
【００２５】
前述したリセット部材は、後述する実施例においては、常時に後方側に付勢するバネを設けており、外部操作により前方に押し動かす場合には、このバネの付勢力に抗して押動するように操作されるとともに、外部操作を解除するとこのバネの付勢力で自動的にリセット部材が後方に移動するように構成しているが、本発明はこれに限定するものではなく、外部操作を解除すると収納孔に対してリセット部材の谷部が一致するようにリセット部材を可動操作可能に構成すれば良く、このような構成にする場合、前述したようなリセット部材をバネで常時後方に付勢する方法の他、リセット部材を非磁性体で構成するとともに、外部操作部材を磁性体で構成し、磁力によってリセット部材を前後に移動操作するように構成することもできる。また、同じ磁力を用いた別の方法としては、上述したバネに替えて、常時にリセット部材を後方に付勢可能なように、リセット部材の少なくとも先端側を磁性体で構成するとともに、内筒のリセット部材を挿入する溝の先端側の側壁にリセット部材の極性と同じ極性の磁性体を設け、同じ極性の磁性体の反発力を利用してリセット部材を常時後方方向に付勢するように構成することもできる。
【００２６】
本発明の請求項４のシリンダー錠は、前記内筒の収納孔は、上ピンと下ピンとの間に介在する補助ピンの全てが収納できる数だけ形成されており、内筒の収納孔に全ての補助ピンを収納して、一つのキーのみで施錠及び解錠が可能に構成してある。
【００２７】
この構成のシリンダー錠によれば、前記補助ピンの全てが前記収納孔に収納されて、前記上ピンと下ピンとの間に一切の補助ピンが介在しない状態となるので、内筒の外周面である内筒と外筒とのシェアーラインと一致して内筒を外筒に対して施錠及び解錠操作可能となるのが、前記上ピンと下ピンとの境界面がシェアーラインに一致する場合のみとなって、マスターキーなどの一つのキーでのみ施錠及び解錠を受け付けるようになる。
【発明の効果】
【００２８】
この発明によれば、前記補助ピンを、上ピンと下ピンとの間から外部に取り出すことなく、外筒の収納凹部又は内筒の収納孔に収納することが可能となり、再度、上ピンと下ピンとの間に収納凹部又は収納孔に収納した補助ピンを戻す場合でも、前記外部操作によって上ピンと下ピンとの間に戻すことができる。したがって、複数の上ピンと下ピンとの間の何れに補助ピンを介在させるかの組み合わせで多数のキーチェンジが可能となるばかりか、一旦、上ピンと下ピンとの間から前記収納凹部又は収納孔に移動させた補助ピンを元の上ピンと下ピンとの間の位置に戻すことによって、一時的に使用不可能となったキーを何度でも使用できるようになる。
【実施例】
【００２９】
（実施例１）本発明の実施例１のシリンダー錠を図１〜図２７に基づいて以下に説明する。
【００３０】
（リセット状態）
以下、図１〜図６に示すリセット状態のシリンダー錠に基づいて、本発明を適用したシリンダー錠について説明する。
【００３１】
このリセット状態のシリンダー錠は、複数のシリンダー錠を解錠可能なマスターキーＭＫ、複数のシリンダー錠の各々のみを解錠可能な個別のキーＣＫや、該キーＣＫを使用するまでの一時的な期間だけ複数のシリンダー錠を解錠可能なコンストラクションキー（工事用キー）の全てのキーで解錠可能である。
【００３２】
図１は本発明のシリンダー錠の正面図、図２は図１のα１−α２線断面図、図３は図１のβ１−β２線断面図、図４は図１のγ１−γ２線断面図、図５は図２及び図３におけるＡ−Ｂ−Ｃ線断面図、図６は図２及び図３におけるＤ−Ｅ−Ｆ線断面図である。
【００３３】
図において、１はシリンダー錠であって、このシリンダー錠１は、その長手方向に複数の上ピン孔２Ａ〜２Ｘを有する外筒２と、該外筒２に回動自在に嵌挿されるとともに、鍵穴３と外筒２の上ピン孔２Ａ〜２Ｘと対応する複数の下ピン孔４Ａ〜４Ｘとを有する内筒４と、前記上ピン孔２Ａ〜２Ｘと下ピン孔４Ａ〜４Ｘとで形成される各コラムＡ〜Ｘのそれぞれに挿入された上ピン５（５Ａ〜５Ｘ）と、下ピン６（６Ａ〜６Ｘ）とを主な構成としている。
【００３４】
前記下ピン孔４Ａ〜４Ｘのそれぞれには、下ピン６の鍵穴３内への突出量を規制し、当該下ピン６が抜けないようにするための段部６Ｙを形成する一方、前記上ピン孔２Ａ〜２Ｘには当該上ピン孔２Ａ〜２Ｘに挿入される上ピン５を、前記下ピン６と当接する方向に付勢するバネ５Ｙを配置している。
【００３５】
図１及び図２を参照して、仮想中心Ｏ１とα１とで結ばれる仮想線上の内筒４と外筒２には、その奥行き方向に前記上ピン孔２Ａ，２Ｄ，２Ｇ，２Ｊ，２Ｍ，２Ｐ，２Ｓ，２Ｖと、前記下ピン孔４Ａ，４Ｄ，４Ｇ，４Ｊ，４Ｍ，４Ｐ，４Ｓ，４Ｖとで形成されるコラムＡ，Ｄ，Ｇ，Ｊ，Ｍ，Ｐ，Ｓ，Ｖが一定間隔Ｐ１で列状に配置されて第１のコラム群を形成し、これと同様に、図１及び図３を参照して、仮想中心Ｏ１を挟むＯ１とβ１で結ばれる仮想線上の内筒４と外筒２には、その奥行き方向に複数の前記上ピン孔２Ｂ，２Ｅ，２Ｈ，２Ｋ，２Ｎ，２Ｑ，２Ｔ，２Ｗと、複数の前記下ピン孔４Ｂ，４Ｅ，４Ｈ，４Ｋ，４Ｎ，４Ｑ，４Ｔ，４Ｗとで形成されるコラムＢ，Ｅ，Ｈ，Ｋ，Ｎ，Ｑ，Ｔ，Ｗ（第２のコラム群）が配置され、仮想中心Ｏ１を挟むＯ１とβ２で結ばれる仮想線上の内筒４と外筒２には、その奥行き方向に複数の前記上ピン孔２Ｃ，２Ｆ，２Ｉ，２Ｌ，２Ｏ〔オー〕，２Ｒ，２Ｕ，２Ｘと、複数の前記下ピン孔４Ｃ，４Ｆ，４Ｉ，４Ｌ，４Ｏ，４Ｒ，４Ｕ，４Ｘとで形成されるコラムＣ，Ｆ，Ｉ，Ｌ，Ｏ，Ｒ，Ｕ，Ｘ（第３のコラム群）が、それぞれ一定間隔のピッチＰ１で列状に配置されている。
【００３６】
また、前記第１のコラム群を形成した仮想中心Ｏ１とα１とで結ばれる仮想線に対する、第２コラム群を形成した仮想中心Ｏ１とβ１で結ばれる仮想線と、第３のコラム群を形成した仮想中心Ｏ１とβ２で結ばれる仮想線とは、仮想中心Ｏ１とα１で結ばれる第１のコラム群に対して、それぞれ右回転方向に９０度、左回転方向に９０度の位置関係で配置されている。さらに、前記第２のコラム群と第３のコラム群とは、前記内筒４と外筒２の長手方向に所定間隔Ｐ２だけずらした位置に配置されている（図３参照）。この所定間隔Ｐ２のずれを発生させるために、第２のコラム群と前記外筒２の側面との距離をＰ３−１とし、第３のコラム群と前記外筒２の側面との距離をＰ３−２として、Ｐ３−１とＰ３−２とが異なる距離に設定している。具体的には、Ｐ３−１が前記外筒２の側面と下ピン５Ｂの中心位置までの距離、Ｐ３―２が前記外筒６の側面と前記下ピン５Ｃの中心位置までの距離とし、第２のコラム群と第３のコラム群の複数の下ピン５，・・・，５が一定間隔のピッチＰ１で配置することによって、第２のコラム群と第３のコラム群の下ピン５のいずれかが両方のコラム群の前記上ピン孔と対峙しないように設定している。
【００３７】
この所定間隔Ｐ２のずれは、第２のコラム群及び第３のコラム群に位置する補助ピン７，・・・，７が、リセット状態からセット状態を経て再度リセット状態に移行する場合、誤って別の群のコラムに移動してしまうのを防止するために設定されている。
【００３８】
そして、前述したリセット状態にあるシリンダー錠１では、前記上ピン５Ｅ，５Ｆ，５Ｉ，５Ｋ，５Ｌ，５Ｎ，５Ｏ〔オー〕，５Ｑ，５Ｕ，５Ｗと、下ピン６Ｅ，６Ｆ，６Ｉ，６Ｋ，６Ｌ，６Ｎ，６Ｏ〔オー〕，６Ｑ，６Ｕ，６Ｗとの間に、それぞれ補助ピン７，・・・，７が介在されている。このシリンダー錠１に備えられる全ての補助ピン７，・・・，７（本実施例では１０個）が、前記上ピン５Ｅ，５Ｆ，５Ｉ，５Ｋ，５Ｌ，５Ｎ，５Ｏ，５Ｑ，５Ｕ，５Ｗと、下ピン６Ｅ，６Ｆ，６Ｉ，６Ｋ，６Ｌ，６Ｎ，６Ｏ，６Ｑ，６Ｕ，６Ｗとの間に介在された状態を表すのが図３である。前記上ピン５Ｅ，５Ｆ，５Ｉ，５Ｋ，５Ｌ，５Ｎ，５Ｏ，５Ｑ，５Ｕ，５Ｗと、下ピン６Ｅ，６Ｆ，６Ｉ，６Ｋ，６Ｌ，６Ｎ，６Ｏ，６Ｑ，６Ｕ，６Ｗとの間に介在された補助ピン７，・・・，７のうちの適宜部位の補助ピン７の一つ又は複数を除去することによって、施錠及び解錠が可能なキーを変更することができる。この実施の形態では、上ピン５と下ピン６との間に介在させる補助ピン７の数を１０個としているが、本発明はこれに限定されるものではなく、例えば，上ピン５Ｅ，５Ｆ，５Ｉ，５Ｋ，５Ｌ，５Ｎ，５Ｏ，５Ｑ，５Ｕ，５Ｗと、下ピン６Ｅ，６Ｆ，６Ｉ，６Ｋ，６Ｌ，６Ｎ，６Ｏ，６Ｑ，６Ｕ，６Ｗとの間に加えて、上ピン５Ｂ，５Ｃ，５Ｈ，５Ｒ，５Ｔ，５Ｘと、下ピン６Ｂ，６Ｃ，６Ｈ，６Ｒ，６Ｔ，６Ｘとの間に介在させることによって、合計で１６個の補助ピン７を介在させることによって、合鍵とすることができるキーの数を更に増大させることが可能であり、又、逆に、補助ピン７の数を減らすことも可能である。
【００３９】
また、上ピン５Ｂ，５Ｃ，５Ｈ，５Ｒ，５Ｔ，５Ｘと下ピン６Ｂ，６Ｃ，６Ｈ，６Ｒ，６Ｔ，６Ｘが嵌挿されるコラムＢ，Ｃ，Ｈ，Ｒ，Ｔ，Ｘは、前記補助ピン７を介在しない固定コラムとしているが、これに限らず、チェンジ可能なキーの数を増やしたい場合などには、前記上ピン５と下ピン６との間に補助ピン７を介在可能なコラムに構成することも可能である。
前記補助ピン７を介在しない固定コラム数を減らした場合には、シリンダー錠１の補助ピン７の数は本実施例では１０個以上となり、これに伴ってチェンジ可能なキーの数が増加し、これとは逆に、前記固定コラムを増やすと、補助ピン７の数は減少して１０以下となり、これに伴ってチェンジ可能なキーの数が減少することになる。前記固定コラムでないように変更する場合には、前記下ピン６Ｂ，６Ｃ，６Ｈ，６Ｒ，６Ｔ，６Ｘを、上ピン５Ｂ，５Ｃ，５Ｈ，５Ｒ，５Ｔ，５Ｘと接する下ピン上端部６Ｂ１，６Ｃ１，６Ｈ１，６Ｒ１，６Ｔ１，６Ｘ１が前記補助ピン７を安定状態に保持する窪み状に形成された他の下ピンに交換することが好ましい。
【００４０】
また、図１及び図４を参照して、α１−α２仮想線から時計方向へ４５度傾いたγ１−γ２仮想線上であって、前記仮想中心Ｏ１を挟む内筒４の外周面４Ｙには、内筒４の奥行き方向に仮想中心Ｏ１−γ１とで結ばれる仮想線上に補助ピン７の収納孔８（８Ｂ，８Ｅ，８Ｈ，８Ｋ，８Ｎ，８Ｑ，８Ｔ，８Ｗ）と、仮想中心Ｏ１−γ２とで結ばれる仮想線上に補助ピン７の収納孔８（８Ｃ，８Ｆ，８Ｉ，８Ｌ，８Ｏ〔オー〕，８Ｒ，８Ｕ，８Ｘ）とが前記コラムＡ〜Ｘが形成ピッチＰ１と同じ一定間隔で設けられている。しかも、複数の前記収納孔８（８Ｂ，８Ｅ，８Ｈ，８Ｋ，８Ｎ，８Ｑ，８Ｔ，８Ｗ）を連通する溝４Ｚ２と、複数の前記収納孔８（８Ｃ，８Ｆ，８Ｉ，８Ｌ，８Ｏ〔オー〕，８Ｒ，８Ｕ，８Ｘ）とのそれぞれを連通する一対の溝４Ｚ２，４Ｚ２が内筒４の外周面４Ｙに形成されている。
【００４１】
内筒４の収納孔８Ｂ，８Ｅ，８Ｈ，８Ｋ，８Ｎ，８Ｑ，８Ｔ，８Ｗ及び８Ｃ，８Ｆ，８Ｉ，８Ｌ，８Ｏ〔オー〕，８Ｒ，８Ｕ，８Ｘと対峙する外筒２の内周面２Ｙには、前記補助ピン７を前記収納孔８に収納した状態で安定保持するための保持ピン１０Ｙ，・・・，１０Ｙが収納される複数の収納凹部１０（１０Ｂ，１０Ｅ，１０Ｈ，１０Ｋ，１０Ｎ，１０Ｑ，１０Ｔ，１０Ｗ及び１０Ｃ，１０Ｆ，１０Ｉ，１０Ｌ，１０Ｏ〔オー〕，１０Ｒ，１０Ｕ，１０Ｘ）が形成されている。この保持ピン１０Ｙ，・・・，１０Ｙは、ぞれぞれ前記収納凹部１０に設けられた付勢部材であるバネ９Ａ３，９Ｂ３によって、内筒４方向に付勢されている。このバネ９Ａ３，９Ｂ３は、前記収納孔８に収納した補助ピン７を内筒４の外周面４Ｙに押し当ててガタツキを防止しつつ安定保持する機能と、前記収納孔８と収納凹部１０とが対峙したときに、当該収納凹部１０に収納した補助ピン７を収納孔８内に押動して排除する機能とを有する。
【００４２】
さらに、前記一対の両溝４Ｚ２，４Ｚ２には、外筒２の内周面２Ｙに対してテーパ部を介して山部１５Ａ３，１５Ｂ３と谷部１５Ａ４，１５Ｂ４とが交互に連なって形成された、のこぎり状の端面有する一対の長尺のリセット部材９Ａ，９Ｂが配置してある。このリセット部材９Ａ，９Ｂは、その先端１５Ａ１，１５Ｂ１と前記溝４Ｚ２，４Ｚ２の先方側に設けたバネ受け９Ａ１，９Ｂ１との間に介在された付勢部材であるバネ９Ａ２，９Ｂ２によって常時には後方（例えば図４で右方向）に付勢され、その後端１５Ａ２，１５Ｂ２が内筒４の鍔部４Ｚの前端面に当接されている。この常態時において、リセット部材９Ａ，９Ｂの山部１５Ａ３，１５Ｂ３は、前記収納凹部１０と対向配置され、その谷部１５Ａ４，１５Ｂ４は前記収納凹部１０，１０間に形成される隔壁２Ｚと対向配置されている。
【００４３】
また、前記鍔部４Ｚには、前記溝４Ｚ２，４Ｚ２及び外部と連通した制御部材挿入孔４Ｚ１，４Ｚ１が形成されており、前記リセット部材９Ａ，９Ｂの後端１５Ａ２，１５Ｂ２を前記バネ９Ａ２，９Ｂ２の付勢力に抗して外部から押込み可能なように設けられている。すなわち、セットするキー例えばＣＫを差し込んだ状態で、この制御部材挿入孔４Ｚ１，４Ｚ１から後述する専用の制御部材２０の押出ピン２２，２２を挿入して、図１２の如く、前記リセット部材９Ａ，９Ｂの後端１５Ａ２，１５Ｂ２を前方（例えば図１２で左方向）へ押し込むことによって、リセット部材９Ａ，９Ｂの山部１５Ａ３，１５Ｂ３が前記収納孔８（８Ｂ，８Ｅ，８Ｈ，８Ｋ，８Ｎ，８Ｑ，８Ｔ，８Ｗと８Ｃ，８Ｆ，８Ｉ，８Ｌ，８Ｏ〔オー〕，８Ｒ，８Ｕ，８Ｘ）と対峙する状態から、前記収納孔８にリセット部材９Ａ，９Ｂの谷部１５Ａ４，１５Ｂ４が対峙する状態に変位させることによって、前記収納孔８に補助ピン７を収納可能な状態にすることができる(図１４参照)。そして、図１４に示す前記収納孔８に補助ピン７が収納された状態は、前記収納孔８が外筒２の上ピン孔２Ｂ，２Ｅ，２Ｈ，２Ｋ，２Ｎ，２Ｑ，２Ｔ，２Ｗ，２Ｃ，２Ｆ，２Ｉ，２Ｌ，２Ｏ〔オー〕，２Ｒ，２Ｕ，２Ｘ、又は、前記収納凹部１０と対峙する位置でセットされたキーＣＫと制御部材２０とによる外部操作が行われない限り収納状態が保持される。
【００４４】
なお、前記補助ピン７は、後述する実施例のようにボール状のもの、或いは、両端面が半球状を呈する円柱形状のものを採用することが好ましい。勿論、球形状部分がない構成のものでも採用することができるが、補助ピン７と、上ピン５又は下ピン６との境界面がシェアーラインＳＬに一致することによって、外筒２に対する内筒４のキー操作での回動解錠操作が可能となることから、その境界面での回動方向の操作をスムーズに行うためには、境界面に位置する補助ピン７の形状を球形状とする方が摩擦力の低減が図られるため望ましい。
【００４５】
特に、この実施例のシリンダー錠によれば、合鍵であるキーＣＫ又はマスターキーＭＫを差し込んで、施錠及び解錠操作を何度も繰り返す場合、前記リセット部材９Ａ，９Ｂの山部１５Ａ３，１５Ｂ３が前記収納凹部１０に収納された補助ピン７と何度も前記山部１５Ａ３，１５Ｂ３と接触するため、前記補助ピン７と山部１５Ａ３，１５Ｂ３との接触部分が磨耗しやすく、シリンダー錠の寿命を短くしてしまう虞れがある。そこで、前記補助ピン７をボール状の金属製ベアリングを採用すれば、前記山部１５Ａ３，１５Ｂ３が接触する場合に、補助ピン７が収納凹部１０内で回転することから磨耗を少なく抑えることができる。
【００４６】
以上、本発明におけるリセット状態のシリンダー錠１における構成について説明したが、このリセット状態のシリンダー錠１から、合鍵である特定のキーＣＫとマスターキーＭＫで解錠可能なセット状態に至るまでの動作を、図７〜図１７に基づいて説明する。
【００４７】
（セット方法）
図７はリセット状態のシリンダー錠１に対して、合鍵であるキーＣＫを差し込んだ状態を示す図１のα１−α２線断面図である。より詳しくは、図２の状態で合鍵であるキーＣＫを鍵穴３に挿入すると、該キーＣＫの上端面に下ピン先端部６Ａ２，６Ｄ２，６Ｇ２，６Ｊ２，６Ｍ２，６Ｐ２，６Ｓ２，６Ｖ２が接し、前記下ピン６Ａ，６Ｄ，６Ｇ，６Ｊ，６Ｍ，６Ｐ，６Ｓ，６Ｖが上動し、該下ピン６Ａ，６Ｄ，６Ｇ，６Ｊ，６Ｍ，６Ｐ，６Ｓ，６Ｖと上ピン５Ａ，５Ｄ，５Ｇ，５Ｊ，５Ｍ，５Ｐ，５Ｓ，５Ｖとの境界面が、外筒２に対して内筒４が回動可能となるシェアーラインＳＬ（Ｓ１）に一致する。前記キーＣＫの上端面には、複数のディンプル（鍵山）ＣＫ−３，・・・，ＣＫ−３が形成されており、このディンプル（鍵山）ＣＫ−３，・・・，ＣＫ−３に下ピン先端部６Ｄ２，６Ｇ２，６Ｊ２，６Ｍ２，６Ｐ２，６Ｖ２が収納されることによって前記シェアーラインＳＬ（Ｓ１）に一致するように構成している。よって、前記ディンプル（鍵山）ＣＫ−３，・・・，ＣＫ−３の配置やその窪み量が異なる合鍵以外の他のキーを鍵穴３に挿入したとしても、シェアーラインＳＬ（Ｓ１）に前記下ピン６Ａ，６Ｄ，６Ｇ，６Ｊ，６Ｍ，６Ｐ，６Ｓ，６Ｖと上ピン５Ａ，５Ｄ，５Ｇ，５Ｊ，５Ｍ，５Ｐ，５Ｓ，５Ｖとの境界面の全てが一致しないため、前記他のキーでの解錠を阻止することができる。勿論、この実施例のシリンダー錠１では、前記シェアーラインＳ１だけでなく、後述するシェアーラインＳＬ（Ｓ２，Ｓ３）に上ピン５の先端部又は下ピン６の上端部のいずれかが一致しなけば解錠することができないように構成している。
【００４８】
図８は、リセット状態のシリンダー錠１に対して合鍵であるキーＣＫを差し込んだ図７に対応した図１のβ１−β２線断面図であり、前記キーＣＫの一側面（ＣＫ−１）のディンプル（鍵山）ＣＫ−３が下ピン先端部６Ｂ２，６Ｅ２，６Ｈ２，６Ｋ２，６Ｎ２，６Ｑ２，６Ｔ２，６Ｗ２と接することによって、前記下ピン６Ｂ，６Ｅ，６Ｈ，６Ｋ，６Ｎ，６Ｑ，６Ｔ，６Ｗを外方向に押しやり、前記下ピン６の上端部６Ｂ１，６Ｈ１，６Ｔ１と上ピンの下端部５Ｂ１，５Ｈ１，５Ｔ１との境界面と、前記下ピン上端部６Ｅ１，６Ｎ１，６Ｑ１と補助ピン７，７，７との境界面と、上ピンの下端部５Ｎ１，５Ｗ１と前記補助ピン７，７との境界面がシェアーラインＳＬ（Ｓ２）に一致することになる。尚、厳密には下ピン６Ｅ、６Ｑと補助ピンとの境界面はシェアーラインＳ２より少し下がった位置となっているが、内筒の回動力により下ピンの上端部の凹部の斜面の作用により補助ピンが上に移動し、内筒は回動可能となる。また、前記キーＣＫの他側面（ＣＫ−２）のディンプル（鍵山）による作動も上記と同様である。
【００４９】
しかして、３つのシェアーラインＳ１，Ｓ２，Ｓ３の何れにおいても、下ピン６と上ピン５と補助ピン７との何れかの境界面と一致することになるので、キーＣＫの回動操作により、内筒４を回動することができる。
【００５０】
（リセット状態からキーを差込み４５度回転）
図９に示すのは、図７、図８のリセット状態で合鍵であるキーＣＫを鍵穴３に差込んだ状態から、内筒４を時計方向に４５度回転させた状態を示す図６におけるＤ-Ｅ-Ｆ線断面図である。図１０は同上の図１におけるβ１−β２線断面図である。尚、このリセット状態においては、例えば、図８に示すキーＣＫを挿入して回動操作を行うと、コラムＫ，Ｗ，Ｆ，Ｉ，Ｌの内筒４に位置していた補助ピン７，７，７，７，７が内筒４内に位置した（保持された）ままであるが、コラムＥ，Ｎ，Ｏ，Ｑ，Ｕの外筒２に位置していた補助ピン７，７，７，７，７は外筒２の上ピン孔２Ｅ，２Ｎ，２Ｏ〔オー〕，２Ｑ，２Ｕに収納された状態となる。
【００５１】
そして、この４５度回転させた状態で、図１０に示すように、前記外筒２の上ピン孔２Ｅ，２Ｎ，２Ｏ〔オー〕，２Ｑ，２Ｕに収納された補助ピン７，７，７，７，７が前記収納孔８（８Ｅ，８Ｎ，８Ｏ，８Ｑ，８Ｕ）に対峙した状態となる。この状態では、図９，図１０に示すように、前記リセット部材９Ａの山部１５Ａ３が補助ピン７に当接して収納孔８Ｅに落ち込むのを阻止している。これと同様に、前記収納孔８Ｎ，８Ｏ，８Ｑ，８Ｕに対峙する補助ピン７，７，７，７もリセット部材９Ａ，９Ｂの山部１５Ａ３，１５Ｂ３が当接して落ち込みを阻止している。
【００５２】
図１１は、内筒４に一対形成した制御部材挿入孔４Ｚ１，４Ｚ１に挿入する押出ピン２２を備えた制御部材２０を示すものであって、（Ａ）は制御部材２０の正面から見た断面図、（Ｂ）は制御部材２０の平面図、（Ｃ）は制御部材２０の左側面図、（Ｄ）は制御部材２０の右側面図である。この制御部材２０は、合鍵であるキーＣＫの把持部に嵌挿するスリット２１と、該スリット２１にキーＣＫの把持部を嵌挿した状態で、前記鍵穴３にキーＣＫを挿入すると、前記制御部材挿入孔４Ｚ１，４Ｚ１に挿入可能な位置となる部位に設けられた一対の押出ピン２２，２２とを備えている。
【００５３】
そして、前述したようにリセット状態から前記キーＣＫを鍵穴３に差し込んで内筒４を４５度回転させた図９の状態から、制御部材２０のスリット２１に前記キーＣＫの把持部を嵌挿した状態で、前記制御部材２０を更に進入方向へ押し込むと、押出ピン２２，２２が制御部材挿入孔４Ｚ１，４Ｚ１を介してリセット部材９Ａ，９Ｂをバネ９Ａ２，９Ｂ２の付勢力に抗して押し込んで前方に摺動させる結果、図１２及び図１４に示すように、補助ピン７のリセット部材９Ａ，９Ｂに当接する位置が、山部１５Ａ３，１５Ｂ３から谷部１５Ａ４，１５Ｂ４へと変位して、当該補助ピン７は図１４に示すように谷部１５Ａ４，１５Ｂ４に収納される。
【００５４】
すなわち、前記上ピン孔２Ｅ，２Ｎ，２Ｏ〔オー〕，２Ｑ，２Ｕに残された補助ピン７，７，７，７，７が、上ピン５のバネ５Ｙの付勢力によって、前記上ピン孔２Ｅ，２Ｎ，２Ｏ〔オー〕，２Ｑ，２Ｕに対峙した状態となっている内筒４の収納孔８（８Ｅ，８Ｎ，８Ｏ〔オー〕，８Ｑ，８Ｕ）に対して落ち込み収納される（図１３，図１４参照）。
【００５５】
図１４は、合鍵であるキーＣＫを鍵穴３に差込み時計方向に４５度回転させた図１2の状態から制御部材２０でリセット部材９Ａ，９Ｂを完全に押し込んで、収納孔８に補助ピン７を収納した状態のまま、キーＣＫを元の位置に戻す状態を示す断面図である。すなわち、制御部材２０の押出ピン２２，２２でリセット部材９Ａ，９Ｂの後端１５Ａ２，１５Ｂ２を進行方向に押し込んで、前記収納孔８に補助ピン７を完全に収納した状態を保持した状態を示している。
【００５６】
次に、図１４示す状態において、制御部材２０と合鍵であるキーＣＫとを元の位置つまり反時計方向に４５度回転すると、前記内筒４の収納孔８Ｅ，８Ｎ，８Ｏ〔オー〕，８Ｑ，８Ｕに一時的に収納された補助ピン７，・・・，７は、外筒２の収納凹部１０Ｅ，１０Ｎ，１０Ｏ，１０Ｑ，１０Ｕ（図４参照）に対峙した状態となるが、前記保持ピン１０Ｙ，１０Ｙ，１０Ｙ，１０Ｙ，１０Ｙのバネ９Ａ３，９Ｂ３の付勢力によって、リセット部材９Ａ，９Ｂの収納孔８Ｅ，８Ｎ，８Ｏ〔オー〕，８Ｑ，８Ｕに収納された状態が保持される。
【００５７】
そして、制御部材２０を抜き取って制御部材２０で押し込んだ状態を解除することによって、リセット部材９Ａ，９Ｂがバネ９Ａ２，９Ｂ２の付勢力により、前記上ピン孔内のバネ９Ａ３，９Ｂ３の付勢力に打ち勝って、後方に後退すると、前記収納孔８Ｅ，８Ｎ，８Ｏ〔オー〕，８Ｑ，８Ｕに収納された補助ピン７，７，７，７，７は、リセット部材９Ａ，９Ｂの谷部１５Ａ４，１５Ｂ４からテーパ部を介して山部１５Ａ３，１５Ｂ３と当接しつつ外方に押しやられ、外筒２の収納凹部１０Ｅ，１０Ｎ，１０Ｏ〔オー〕，１０Ｑ，１０Ｕに収納される。このように収納凹部１０Ｅ，１０Ｎ，１０Ｏ〔オー〕，１０Ｑ，１０Ｕに補助ピン７，７，７，７，７を収納した後、キーＣＫを鍵穴３から引き抜くと、このキーＣＫでのセット状態が完了となる。
【００５８】
図１５は、このセット状態の図１のβ１−β２線断面図を示し、図１６は図２及び図１５のＡ−Ｂ−Ｃ線断面図、図１７は図２及び図１５のＤ−Ｅ−Ｆ線断面図である。この図１５と図３とを比較すると明らかなように、図３のリセット状態の補助ピン７，・・・，７のうち、上ピン５Ｅと下ピン６Ｅとの間、上ピン５Ｎと下ピン６Ｎとの間、上ピン５Ｏ〔オー〕と下ピン６Ｏ〔オー〕との間、上ピン５Ｑと下ピン６Ｑとの間、上ピン５Ｕと下ピン６Ｕとの間に存在していた補助ピン７，７，７，７，７が除去されている。この状態で、マスターキーＭＫを挿入した場合には、図２４に示す如く、シェアーラインＳ２とＳ３上に、前記下ピン６Ｂ，６Ｃ，６Ｅ，６Ｆ，６Ｈ，６Ｉ，６Ｋ，６Ｌ，６Ｎ，６Ｏ，６Ｑ，６Ｒ，６Ｔ，６Ｕ，６Ｗ，６Ｘの上端部６Ｂ１，６Ｃ１，６Ｅ１，６Ｆ１，６Ｈ１，６Ｉ１，６Ｋ１，６Ｌ１，６Ｎ１，６Ｏ１，６Ｑ１，６Ｒ１，６Ｔ１，６Ｕ１，６Ｗ１，６Ｘ１が位置するように、予めマスターキーＭＫのディンプルなどの鍵山を設定しているから、このマスターキーＭＫに関しては、前述したリセット状態において、上下ピン５，６間に位置する全ての補助ピン７，・・・，７のいずれかがセット状態になる際に前記上下ピン５，６間から除去されても、施錠及び解錠操作に影響がない。
【００５９】
また、前述した工事用キーは、前述したリセット状態からセット状態に至った段階で施錠、解錠キーとして使用不可能な状態となる。この工事用キーはセット状態からリセット状態にすると再度使用可能となる。
【００６０】
（リセット方法）
さらに、前述したセット状態からリセット状態にする場合、図９及び図１３に示すように、鍵穴３にキーＣＫを挿入した状態で制御部材２０を差し込み、キーＣＫと制御部材２０とを時計方向に４５度回転させた後、制御部材２０だけを抜き取り、次にキーＣＫを元に４５°戻してから抜き取ることによってリセットされるが、使用者が誤って逆の反時計方向に回転操作する可能性もある。このような場合、セット状態時に前記第２及び第３のコラム群から移動した補助ピン７,・・,が２２５度（マイナス１３５度）の反時計方向への回転操作によって予定しない収納凹部１０に収納される虞がある。この実施例のシリンダー錠１では、このような虞を回避するため、第２のコラム群と外筒２の側面との距離をＰ３−１、第３のコラム群と外筒２の側面との距離をＰ３−２とし、その周方向の配置位置を異ならせて、内筒４を外筒２に対して回転させても正しく対応しない収納凹部１０に収納されないようにしている。
【００６１】
さらに、縦長形状の鍵穴３に対して直交する左右（β１−β２方向）に第２のコラム群と第３のコラム群を配置するとともに、当該両コラム群に位置する補助ピン７がセット状態時に収納される複数の収納凹部１０を、内筒４の仮想中心Ｏ１を挟む左右に、内筒４を時計方向に４５度回転させたときに対峙するように配置しているため、複数の収納凹部１０に収納すべき補助ピン７の多数を一挙に収納及び後述するように除去することが可能となる。その結果、従来のように補助ピンを単数ずつ除去してキーチェンジを行うシリンダー錠に比べて、その交換可能なチェンジキーの数をより多く設定することができる。
【００６２】
（キーＣＫでセット状態とした同一のキーＣＫの差込）
図１８〜図２３は、合鍵であるキーＣＫでセット状態とした同一のキーＣＫをシリンダー錠１の鍵穴３に差し込んだ状態を示す図である。図１８（Ａ）は図１５のセット状態のシリンダー錠の鍵穴にセット状態とした同一のキーを挿入した状態を示す図１のβ１−β２線断面図、図１８（Ｂ）はキーに替えてシリンダー錠の鍵穴にマスターキーを差し込んだ図１８（Ａ）と同様な図１のβ１−β２線断面図、図１９は図２及び図１８のＧ−Ｈ−Ｉ線断面図、図２０は図２及び図１８のＤ−Ｅ−Ｆ線断面図、図２１は図２及び図１８のＪ−Ｋ−Ｌ線断面図、図２２は図２及び図１８のＭ−Ｎ−Ｏ線断面図、図２３は外筒２の収納凹部１０（１０Ｅ，１０Ｌ，１０Ｎ，１０Ｑ，１０Ｕ）に補助ピン７が収納される途中の状態を示す図１のγ１−γ２線断面図である。各々、キーＣＫによる回転可能（操作可能）な状態を示している。
【００６３】
なお、キーＣＫにセットしたシリンダー錠１にマスターキーＭＫを差し込むと、図１８（Ｂ）に示すように、キーＣＫと異なるディンプル（鍵山）のコラムＫ，Ｗ，Ｆ，Ｉ，Ｌの下ピン、補助ピンおよび上ピンとの境界面位置はキーＣＫの場合とは異なるがシェアーラインＳ２，Ｓ３と一致するのでマスターキーＭＫは回転可能（操作可能）である。
【００６４】
（キーＣＫにセットされた状態から他のキーＣＫ１にセットする場合）
あるキーＣＫにセットされた状態から他のキーＣＫ１にセットする場合、まずリセットする必要がある。リセット方法は、現在使用しているキーＣＫを差し込み、そのままの状態で制御部材２０を差し込み、制御部材２０の押出ピン２２、２２によりリセット部材９Ａ、９Ｂを押し込む。そして、そのまま４５°回転すると、コラムＥ，Ｎ，Ｑ，Ｏ，Ｕの５個所に外筒２側にあった５個の補助ピン７はリセット部材９Ａ，９Ｂの谷部１５Ａ４，１５Ａ４，１５Ａ４，１５Ｂ４，１５Ｂ４に落ち込み図１４の状態となる。そして、制御部材２０を抜き取るとリセット部材９Ａ，９Ｂはバネ９Ａ２，９Ｂ２により復帰し、その復元力により補助ピン７を外筒２側に押し上げ図１０の状態となる。この状態で、キーＣＫを４５°元に戻すと図８のリセット状態となる。（リセット状態でキーＣＫを抜き取れば図３の状態となる。）
【００６５】
次に、他のキーＣＫ１にセットする場合、前記の如くキーＣＫにセットした場合と同様であるので詳述はしないが、まずリセット状態のシリンダー錠にキーＣＫ１を差し込み４５°回転し、この状態で制御部材２０を差し込み、制御部材２０の押出ピン２２、２２でリセット部材９Ａ，９Ｂを押し込む。すると、外筒２側に位置していた５個所の補助ピン７（図示しないが、補助ピン７のあるコラムはキーＣＫ１の場合、キーＣＫの場合とは異なる５個所となる。）は、リセット部材９Ａ，９Ｂの谷部１５Ａ４，１５Ａ４，１５Ａ４，１５Ｂ４，１５Ｂ４に収納される。そのまま４５°元に戻して制御部材２０を抜き取ると、リセット部材９Ａ，９Ｂのバネによる復元力で谷部にあった補助ピン７は全て外筒２側に位置した状態となる。即ち、キーＣＫ１にセットされた状態となり、シリンダー錠はキーＣＫ１と（後述するマスターキーＭＫ）のみの操作が可能となり、元のキーＣＫは操作不可能となる。
【００６６】
（リセット状態からマスターキーＭＫでセット状態とする場合）
図２４〜図２７は、図１〜図６のリセット状態からマスターキーＭＫでセットする方法を示している。このマスターキーを使用してセット状態とした場合には、前述したキーＣＫでセット状態とする場合とは異なり、セット後は前記マスターキーＭＫでのみ操作可能なシャットアウト状態となる。図２４は、リセット状態のシリンダー錠の鍵穴にマスターキーを差し込んだ状態を示す図１のβ１−β２線断面図である。また、図２５は、差し込んだマスターキーＭＫを時計方向に４５度回転させ、且つ、制御部材２０を使用して外部操作によりリセット部材９Ａ，９Ｂを前方に摺動させた状態を示す断面図、図２６は図２５の状態から制御部材２０を抜き取って制御部材２０による押込みを解除した状態を示す断面図、図２７は前記マスターキーＭＫを鍵穴３から抜いて前記シャットアウト状態になった状態を示すβ１−β２断面図である。
図２４に示すように、リセット状態時のシリンダー錠１の鍵穴３にマスターキーＭＫを挿入した場合には、シェアーラインＳ２とＳ３上に、全ての下ピン６Ｂ，６Ｃ，６Ｅ，６Ｆ，６Ｈ，６Ｉ，６Ｋ，６Ｌ，６Ｎ，６Ｏ，６Ｑ，６Ｒ，６Ｔ，６Ｕ，６Ｗ，６Ｘの上端部６Ｂ１，６Ｃ１，６Ｅ１，６Ｆ１，６Ｈ１，６Ｉ１，６Ｋ１，６Ｌ１，６Ｎ１，６Ｏ１，６Ｑ１，６Ｒ１，６Ｔ１，６Ｕ１，６Ｗ１，６Ｘ１が位置するように、予めマスターキーＭＫのディンプルなどの鍵山を設定している。従って、このマスターキーＭＫに関しては、リセット状態からマスターキーＭＫを４５°回動すると全ての補助ピン７が外筒２側に移動した状態となり、この状態で制御部材２０によりリセット部材９Ａ，９Ｂを前方に摺動させると全ての補助ピン７がリセット部材９Ａ，９Ｂの谷部１５Ａ４，１５Ａ４，１５Ａ４，１５Ａ４，１５Ａ４，１５Ｂ４，１５Ｂ４，１５Ｂ４，１５Ｂ４，１５Ｂ４に落ち込み、この状態で４５°元に戻すと図２５の状態となる。この状態から制御部材２０を抜き取るとリセット部材９Ａ，９Ｂはバネ９Ａ２，９Ｂ２により復帰し、その復元力により補助ピン７はリセット部材９Ａ，９Ｂの谷部１５Ａ４，１５Ｂ４からテーパ部を介して山部１５Ａ３，１５Ｂ３と当接しつつ外筒２側に押し上げられ、外筒の収納凹部１０に収納されることになる。このマスターキーＭＫにセットした状態では、上下ピン６，５間に位置する全ての補助ピン７，・・・，７が上下ピン６，５間から除去された状態となる。この状態のシリンダー錠１では、シリンダー錠１に予め用意された全ての合鍵で操作することができない、唯一マスターキーＭＫのみで操作可能な状態、いわゆるシャットアウト状態となる。
【００６７】
詳しくは、このシャットアウト状態では、図２７の如く、内筒４の下ピン６と外筒２の上ピン５の間に前記補助ピン７が全く介在しない状態になり、全ての補助ピン７，・・・，７が前記収納凹部１０（１０Ｅ，１０Ｆ，１０Ｉ，１０Ｋ，１０Ｌ，１０Ｎ，１０Ｏ（オー），１０Ｑ，１０Ｕ，１０Ｗ）に収納されるので、シリンダー錠１を操作できるキーは、前記鍵穴３に鍵を挿入した時に、その鍵山が下ピン６，・・・，６を押し上げ、その下ピン６，・・・，６の全ての上端部がシェアーラインＳＬ上に位置しないと操作できない。マスターキーＭＫは、その鍵山を形成するディンプルが全ての下ピン６，・・・，６を押し上げ、その下ピン６，・・・，６の全ての上端部がシェアーラインＳＬ上に位置するように、その窪み量が設定されている。前記下ピン６Ｂ，６Ｃ，６Ｅ，６Ｆ，６Ｈ，６Ｉ，６Ｋ，６Ｌ，６Ｎ，６Ｏ，６Ｑ，６Ｒ，６Ｔ，６Ｕ，６Ｗ，６Ｘの上端部６Ｂ１，６Ｃ１，６Ｅ１，６Ｆ１，６Ｈ１，６Ｉ１，６Ｋ１，６Ｌ１，６Ｎ１，６Ｏ１，６Ｑ１，６Ｒ１，６Ｔ１，６Ｕ１，６Ｗ１，６Ｘ１が、マスターキーＭＫを鍵穴３に挿入したときに、シェアーラインＳ２，Ｓ３上に位置する。
【００６８】
前述したように、合鍵であるキーＣＫによるセット状態の場合には、キーを鍵穴３に挿入しない状態時に、外筒２，・・・，２の上ピン５，・・・，５と内筒４，・・・，４の下ピン６，・・・，６との間のいずれかに前記補助ピン７が介在するので、当該補助ピン７と上ピン５（５Ｂ，５Ｃ，５Ｅ，５Ｆ，５Ｈ，５Ｉ，５Ｋ，５Ｌ，５Ｎ，５Ｏ，５Ｑ，５Ｒ，５Ｔ，５Ｕ，５Ｗ，５Ｘ）の先端部５Ｂ１，５Ｃ１，５Ｅ１，５Ｆ１，５Ｈ１，５Ｉ１，５Ｋ１，５Ｌ１，５Ｎ１，５Ｏ１，５Ｑ１，５Ｒ１，５Ｔ１，５Ｕ１，５Ｗ１，５Ｘ１とが当接する境界面が、シェアーラインＳＬ（Ｓ２，Ｓ３）上に位置する場合にも解錠状態とすることができたが、このシャットアウト状態では、全ての補助ピン７が前記収納凹部１０に収納されているので、前述したようにマスターキーＭＫにセット状態とした場合は、ただ一つのマスターキーＭＫのみでしか解錠できず、それ以外の合鍵ＣＫや工事用キーでは解錠することができない。
【００６９】
（実施例２）本発明の実施例２のシリンダー錠を図２８〜図３３に基づいて以下に説明する。図２８は、実施例１の図４に相当する状態を示す、図１のγ１−γ２線断面図である。なお、実施例１と実施例２との構成上の相違点は以下に示す構成のみであって、他の構成については同様の構成としており、以下の実施例２の説明において実施例１の図面を援用して説明する。
【００７０】
この図２８と図４とを比較すると明らかなように、実施例１では、外筒２に補助ピン７を収納する複数の収納凹部１０（１０Ｂ，１０Ｅ，１０Ｈ，１０Ｋ，１０Ｎ，１０Ｑ，１０Ｔ，１０Ｗ及び１０Ｃ，１０Ｆ，１０Ｉ，１０Ｌ，１０Ｏ〔オー〕，１０Ｒ，１０Ｕ，１０Ｘ）が形成されているが、本実施例２では、(1)  外筒２にこの収納凹部１０が形成されていない点と、(2)  内筒２の溝４Ｚ２，４Ｚ２に摺動自在に設けられた長尺のリセット部材９Ａ，９Ｂの山部１５Ａ３，１５Ｂ３と谷部１５Ａ４，１５Ｂ４との外筒２に対する位置関係が、逆の関係となるように、リセット部材９０（９０Ａ，９０Ｂ）の山部２５Ａ３，２５Ｂ３と谷部２５Ａ４，２５Ｂ４とを配置しており、常態時に実施例１では内筒４の収納孔８に対峙するリセット部材９Ａ，９Ｂの部位が山部１５Ａ３，１５Ｂ３であったものを、実施例２の場合には内筒４の収納孔８に対峙するのがリセット部材９０Ａ，９０Ｂの谷部２５Ａ４，２５Ｂ４として何時でも補助ピン７を収納可能な状態としている点と、(3)  実施例１では、ある谷部１５Ａ４，１５Ｂ４と前方側の山部１５Ａ３，１５Ｂ３との間にテーパ部を形成して、リセット部材９を前方に制御部材２０によって押圧すると、そのテーパ部の作用によって補助ピン７を外筒２側の上ピン孔２Ｂ，２Ｅ，２Ｈ，２Ｋ，２Ｎ，２Ｑ，２Ｔ，２Ｗ，２Ｃ，２Ｆ，２Ｉ，２Ｌ，２Ｏ〔オー〕，２Ｒ，２Ｕ，２Ｘに押動するように構成しているが、この実施例２では、前記テーパ部の形成する位置を、ある谷部２５Ａ４，２５Ｂ４と後方側の山部２５Ａ３，２５Ｂ３との間に、テーパ部２５Ａ５，２５Ｂ５として形成するとともに、谷部２５Ａ４，２５Ｂ４と前方側の山部２５Ａ３，２５Ｂ３との間には、テーパ部２５Ａ５，２５Ｂ５よりも傾斜が急な立上がり部２５Ａ６，２５Ｂ６に形成している点の３点で構成上の相違点を有する。
図２８では、実施例１の図４と同様に複数の補助ピン７の全てが上ピン５と下ピン６との間に介在し、内筒４の外周に所定間隔Ｐ１をおいて列状に配置される収納孔８に補助ピン７が一つも収納されていないリセット状態にある。
【００７１】
（リセット状態からセット状態にする場合）
前述したように、この実施例２では収納凹部１０を形成しないので、実施例１において上ピン５と下ピン６との間から除去された補助ピン７は、内筒４の収納孔８に収納され保持されることになる。このように上ピン５と下ピン６との間から除去された補助ピン７が、内筒４の収納孔８に収納されるまでの状態を、実施例１の図３と図８と図１０を参考にしながら図２９に基づいて説明する。
図３は、前述したようにシリンダー錠１のリセット状態を示す図１のβ１−β２線断面であり、このリセット状態では、全ての補助ピン７（１０個）が第２コラム群及び第３コラム群の上ピン５と下ピン６との間に存在している。そして、このリセット状態からセット状態とするために、セットする合鍵であるキーＣＫを鍵穴３から挿入する。この挿入した状態を示すのが図１のβ１−β２線断面図である図８である。ここまでは、実施例１と実施例２の作用は全く同一のものとなるが、次に、時計方向に４５度だけキーＣＫの操作によって内筒４を外筒２に対して回転させると、この実施例２の場合には、図２９に示すように、制御部材２０でリセット部材９を操作することなく、上ピン５のバネ５Ｙの付勢力によって自動的に上ピン孔５（５Ｅ，５Ｎ，５Ｏ，５Ｑ，５Ｕ）に残された補助ピン７が内筒４の収納孔８に収納されることになる。この理由は、実施例２の場合には常態時に、内筒４の収納孔８に位置するのが谷部２５Ａ４，２５Ｂ４としてあるので、何時でも補助ピン７を収納可能な状態に構成しているためである。
そして、図２９に示す補助ピン７を内筒４の収納孔８に収納した状態から、今度はキーＣＫを逆の反時計方向に４５度回転操作して内筒４を元の状態に戻して、鍵穴３からキーＣＫを引き抜くとセット状態となる。図３０はキーＣＫを引き抜く直前の図１のγ１−γ２線に相当する断面図、図３１は図２９と図２とで表されるＤ−Ｅ−Ｆ線断面図、図３２はキーＣＫの挿入状態からキーを引き抜いた状態を示す図２９と図２とで表されるＤ−Ｅ−Ｆ線断面図である。このセット状態においては、上ピン５と下ピン６との間から除去された補助ピン７は内筒４の収納孔８と外筒２の内周面２Ｙとの間に、同じキーＣＫでリセット状態とされるまで収納状態を保持することになる。
【００７２】
（セット状態からリセット状態にする場合）
次に、セットしたキーＣＫでリセット状態とする動作を図３１、図３２、図２９及び、制御部材でリセット部材を前方に押動した状態を示す図１のβ１−β２線断面図としての図３３に基づいて説明する。
まず、図３１の状態から図３２に示すように、前にセット状態にしたキーＣＫを鍵穴３に挿入する。そして、キーＣＫによって内筒４を時計方向に４５度の所定角度だけ回転させて、図２９に示すように内筒の収納孔８と外筒２の上ピン孔２Ａ〜２Ｘとを対峙させる。この対峙させた状態では、上ピン５のバネ５Ｙの付勢力によって補助ピン７が内筒４側に付勢され、上ピン孔２Ａ〜２Ｘ側に移動しないようにしている。そして、内筒４の制御部材挿入孔４Ｚ１，４Ｚ１から制御部材２０の押出ピン２２を挿入し、この押出ピン２２の先端をリセット部材９０（９０Ａ，９０Ｂ）の後端２５Ａ２，２５Ｂ２に当接するとともに、リセット部材９０（９０Ａ，９０Ｂ）の先端２５Ａ１，２５Ｂ１側にその一端が接続され他端をバネ受９０Ａ１，９０Ｂ１に支持されたバネ９０Ａ２，９０Ｂ２の弾性に抗してリセット部材９０（９０Ａ，９０Ｂ）を前方（進入方向）に押動すると、リセット部材９０（９０Ａ，９０Ｂ）の谷部２５Ａ４，２５Ｂ４から後方側に位置する山部２５Ａ３，２５Ｂ３との間に形成されたテーパ部２５Ａ５，２５Ｂ５が作用して、内筒４の収納孔８に収納されている補助ピン７を上ピン５のバネ５Ｙの付勢力に抗して上ピン孔２Ａ〜２Ｘに移動させる。
この状態のまま制御部材２０の押圧操作を解除すると、上ピン５のバネ５Ｙの作用によって収納孔８に上ピン孔２Ａ〜２Ｘ内の補助ピン７が戻ってしまうので、押圧操作を維持したまま収納孔８と上ピン孔２Ａ〜２Ｘとが一致しない位置までキーＣＫによって内筒４を反時計方向に４５°回転操作して元に戻した後に、制御部材２０の押圧操作を解除し、鍵穴３からキーＣＫを引き抜くことによって、一旦除去された補助ピン７を上ピン５と下ピン６との間に戻してリセット状態とすることができる。勿論、キーＣＫを引き抜くまで、制御部材２０による押圧操作を維持しても良い。
【００７３】
なお、実施例１及び２において、セット状態やリセット状態にする場合に用いられる制御部材２０は本発明において必須の構成ではなく、外部操作を行う手段としては、ヘヤピン状のものでリセット部材９，９０を操作するなど適宜設計変更できる。
【産業上の利用可能性】
【００７４】
この発明は、子鍵であるチェンジキー、工事用キー又はマスターキー等の少なくとも３種類のキーを繰り返し何回でもキーチェンジできるとともに、いずれのキーとも前のキーの使用が可能なキーコード可変式のシリンダー錠として適用することができる。
【図面の簡単な説明】
【００７５】
【図１】本発明の実施例１のシリンダー錠の正面図である。
【図２】図１のα１−α２線断面図である。
【図３】図１のβ１−β２線断面図である。
【図４】図１のγ１−γ２線断面図である。
【図５】図２及び図３におけるＡ−Ｂ−Ｃ線断面図である。
【図６】図２及び図３におけるＤ−Ｅ−Ｆ線断面図である。
【図７】リセット状態のシリンダー錠の鍵穴に合鍵であるキー（チェンジキー）を差し込んだ状態を示す図１のα１−α２線断面図である。
【図８】リセット状態のシリンダー錠の鍵穴に合鍵であるキー（チェンジキー）を差し込んだ状態を示す図１のβ１−β２線断面図である。
【図９】図６の鍵穴にキー（チェンジキー）を差し込んで時計方向に４５度回転させた状態を示す図６のＤ−Ｅ−Ｆ線断面図である。
【図１０】鍵穴にキー（チェンジキー）を差し込んで時計方向に４５度回転させた場合の図１のβ１−β２線断面図である。
【図１１】制御部材を示し、（Ａ）は制御部材の正面から見た断面図、（Ｂ）は制御部材の平面図、（Ｃ）は制御部材の左側面図、（Ｄ）は制御部材の右側面図である。
【図１２】図１０の状態から制御部材によってリセット部材を前方に押した途中の状態を示す縦断面図である。
【図１３】図９の状態から制御部材によってリセット部材を移動させて、補助ピンをリセット部材側の内筒の収納凹部に落とし込み収納した状態を示すＤ−Ｅ−Ｆ線断面図である。
【図１４】図１２の状態から制御部材でリセット部材を完全に押し込んで、収納孔に補助ピンを収納した状態を保持したまま、キーＣＫを戻す状態を示す断面図である。
【図１５】シリンダー錠を特定のキーで解錠可能な状態にセットした状態を示す図１のβ１−β２断面図である。
【図１６】図２及び図１５のＡ−Ｂ−Ｃ線断面図である。
【図１７】図２及び図１５のＤ−Ｅ−Ｆ線断面図である。
【図１８】（Ａ）は図１５のセット状態のシリンダー錠の鍵穴にセット状態とした同一のキーを挿入した状態を示す図１のβ１−β２線断面図である。（Ｂ）はキーに替えてシリンダー錠の鍵穴にマスターキーを差し込んだ図１８（Ａ）と同様な図１のβ１−β２線断面図である。
【図１９】図２及び図１８のＧ−Ｈ−Ｉ線断面図である。
【図２０】図２及び図１８のＤ−Ｅ−Ｆ線断面図である。
【図２１】図２及び図１８のＪ−Ｋ−Ｌ線断面図である。
【図２２】図２及び図１８のＭ−Ｎ−Ｏ線断面図である。
【図２３】外筒の収納凹部に補助ピンが収納される途中の状態を示す図１のγ１−γ２線断面図である。
【図２４】リセット状態のシリンダー錠の鍵穴にマスターキーを差し込んだ状態を示す図１のβ１−β２線断面図である。
【図２５】マスターキーを図３の鍵穴に差し込むとともに、時計方向にマスターキーを４５度回転させ、且つ、制御部材を使用して外部操作によりリセット部材を進入方向に摺動させた状態を示す図１のγ１−γ２線断面図である。
【図２６】図２５の状態から制御部材による押込みを解除した状態を示す図１のγ１−γ２線断面図である。
【図２７】マスターキーを鍵穴から抜いてシャットアウト状態になった状態を示す図１のβ１−β２線断面図である。
【図２８】実施例２のシリンダー錠であって、図１のγ１−γ２線断面図である図４に相当する断面図である。
【図２９】実施例２のシリンダー錠である、実施例１の図１０に相当する図１のβ１−β２線断面図である。
【図３０】セット状態で合鍵であるキーＣＫを鍵穴に挿入した状態を示す図１のγ１−γ２線断面図である。
【図３１】図２及び図３１のＤ−Ｅ−Ｆ線断面図である。
【図３２】キーＣＫの挿入状態からキーを引き抜いた状態を示すＤ−Ｅ−Ｆ線断面図である。
【図３３】制御部材でリセット部材を前方に押動した状態を示す図１のβ１−β２線断面図である。
【図３４】特許文献２のシリンダー錠の縦断面図である。
【図３５】図３４の縦断面図である。
【図３６】従来例のコード変更装置によってキーチェンジを行う状態を示す縦断面図である。
【符号の説明】
【００７６】
１                          シリンダー錠
２                          外筒
２Ａ〜２Ｘ                  上ピン孔
３                          鍵穴
４                          内筒
４Ａ〜４Ｘ                  下ピン孔
４Ｙ                        外周面
４Ｚ１                      制御部材挿入孔
４Ｚ２                      溝
５（５Ａ〜５Ｘ）            下ピン
６（６Ａ〜６Ｘ）            下ピン
７                          補助ピン
８（８Ｂ，８Ｃ，８Ｅ，８Ｆ，８Ｈ，８Ｉ，８Ｋ，８Ｌ，８Ｎ，８Ｏ〔オー〕，８Ｑ，８Ｒ，８Ｕ，８Ｔ，８Ｗ，８Ｘ）  収納孔
９（９Ａ，９Ｂ）、９０（９０Ａ，９０Ｂ）  リセット部材
１０                        収納凹部
１５Ａ３，１５Ｂ３、２５Ａ３，２５Ｂ３  山部
１５Ａ４，１５Ｂ４、２５Ａ４，２５Ｂ４  谷部
２０                        制御部材
２２                        押出ピン
ＣＫ                        キー
ＭＫ                        マスターキー
ＳＬ                        シェアーライン
【手続補正２】
【補正対象書類名】図面
【補正対象項目名】図１
【補正方法】変更
【補正の内容】
【図１】
2007146456.tif 000001
【手続補正３】
【補正対象書類名】図面
【補正対象項目名】図２
【補正方法】変更
【補正の内容】
【図２】
2007146456.tif 000002
【手続補正４】
【補正対象書類名】図面
【補正対象項目名】図３
【補正方法】変更
【補正の内容】
【図３】
2007146456.tif 000003
【手続補正５】
【補正対象書類名】図面
【補正対象項目名】図４
【補正方法】変更
【補正の内容】
【図４】
2007146456.tif 000004
【手続補正６】
【補正対象書類名】図面
【補正対象項目名】図７
【補正方法】変更
【補正の内容】
【図７】
2007146456.tif 000005
【手続補正７】
【補正対象書類名】図面
【補正対象項目名】図９
【補正方法】変更
【補正の内容】
【図９】
2007146456.tif 000006
【手続補正８】
【補正対象書類名】図面
【補正対象項目名】図１０
【補正方法】変更
【補正の内容】
【図１０】
2007146456.tif 000007
【手続補正９】
【補正対象書類名】図面
【補正対象項目名】図１２
【補正方法】変更
【補正の内容】
【図１２】
2007146456.tif 000008
【手続補正１０】
【補正対象書類名】図面
【補正対象項目名】図１４
【補正方法】変更
【補正の内容】
【図１４】
2007146456.tif 000009
【手続補正１１】
【補正対象書類名】図面
【補正対象項目名】図１８−Ａ
【補正方法】変更
【補正の内容】
【図１８−Ａ】
2007146456.tif 000010
【手続補正１２】
【補正対象書類名】図面
【補正対象項目名】図１８−Ｂ
【補正方法】変更
【補正の内容】
【図１８−Ｂ】
2007146456.tif 000011
【手続補正１３】
【補正対象書類名】図面
【補正対象項目名】図２０
【補正方法】変更
【補正の内容】
【図２０】
2007146456.tif 000012
【手続補正１４】
【補正対象書類名】図面
【補正対象項目名】図２１
【補正方法】変更
【補正の内容】
【図２１】
2007146456.tif 000013
【手続補正１５】
【補正対象書類名】図面
【補正対象項目名】図２２
【補正方法】変更
【補正の内容】
【図２２】
2007146456.tif 000014
【手続補正１６】
【補正対象書類名】図面
【補正対象項目名】図２３
【補正方法】変更
【補正の内容】
【図２３】
2007146456.tif 000015
【手続補正１７】
【補正対象書類名】図面
【補正対象項目名】図２４
【補正方法】変更
【補正の内容】
【図２４】
2007146456.tif 000016
【手続補正１８】
【補正対象書類名】図面
【補正対象項目名】図２５
【補正方法】変更
【補正の内容】
【図２５】
2007146456.tif 000017
【手続補正１９】
【補正対象書類名】図面
【補正対象項目名】図２６
【補正方法】変更
【補正の内容】
【図２６】
2007146456.tif 000018
【手続補正２０】
【補正対象書類名】図面
【補正対象項目名】図２７
【補正方法】変更
【補正の内容】
【図２７】
2007146456.tif 000019
【手続補正２１】
【補正対象書類名】図面
【補正対象項目名】図２８
【補正方法】変更
【補正の内容】
【図２８】
2007146456.tif 000020
【手続補正２２】
【補正対象書類名】図面
【補正対象項目名】図２９
【補正方法】変更
【補正の内容】
【図２９】
2007146456.tif 000021
【手続補正２３】
【補正対象書類名】図面
【補正対象項目名】図３０
【補正方法】変更
【補正の内容】
【図３０】
2007146456.tif 000022
【手続補正２４】
【補正対象書類名】図面
【補正対象項目名】図３１
【補正方法】変更
【補正の内容】
【図３１】
2007146456.tif 000023
【手続補正２５】
【補正対象書類名】図面
【補正対象項目名】図３２
【補正方法】変更
【補正の内容】
【図３２】
2007146456.tif 000024
【手続補正２６】
【補正対象書類名】図面
【補正対象項目名】図３３
【補正方法】変更
【補正の内容】
【図３３】
2007146456.tif 000025
【手続補正２７】
【補正対象書類名】図面
【補正対象項目名】図３４
【補正方法】変更
【補正の内容】
【図３４】
2007146456.tif 000026
【手続補正２８】
【補正対象書類名】図面
【補正対象項目名】図３５
【補正方法】変更
【補正の内容】
【図３５】
2007146456.tif 000027
【手続補正２９】
【補正対象書類名】図面
【補正対象項目名】図３６
【補正方法】変更
【補正の内容】
【図３６】
2007146456.tif 000028
【手続補正３０】
【補正対象書類名】図面
【補正対象項目名】図３７
【補正方法】削除
【補正の内容】
【手続補正３１】
【補正対象書類名】図面
【補正対象項目名】図３８
【補正方法】削除
【補正の内容】